(57)【要約】【課題】情報処理装置が保持している情報を含む情報処理装置に関する情報について、予め決められた複数の送信先毎に送信すべき情報を複数の送信先のそれぞれに手間をかけずに送信する。【解決手段】情報の送信が要求された場合に、情報処理装置が保持している情報を含む情報処理装置に関する情報を収集する情報収集部１０と、情報収集部１０にて収集された情報の中から、予め指定された複数の送信先に送信すべき情報を複数の送信先毎に選択する情報選択部２０と、情報選択部２０にて選択された情報を複数の送信先のそれぞれに送信する情報送信部３０とを有し、複数の送信先のうち少なくとも１つの送信先に送信すべき情報の少なくとも一部が、他の送信先に送信すべき情報とは異なる。【選択図】図１
2013034062.tif 000002
【特許請求の範囲】
【請求項１】
情報処理装置であって、
情報の送信が要求された場合に、前記情報処理装置が保持している情報を含む前記情報処理装置に関する情報を収集する情報収集部と、
前記情報収集部にて収集された情報の中から、予め指定された複数の送信先に送信すべき情報を前記複数の送信先毎に選択する情報選択部と、
前記情報選択部にて選択された情報を前記複数の送信先のそれぞれに送信する情報送信部とを有し、
前記複数の送信先のうち少なくとも１つの送信先に送信すべき情報の少なくとも一部が、他の送信先に送信すべき情報とは異なる情報処理装置。
【請求項２】
請求項１に記載の情報処理装置において、
前記情報選択部にて選択された情報を当該情報の送信先毎に決められた形式に編集する情報編集部を有し、
前記情報送信部は、前記情報編集部にて編集された情報を送信する情報処理装置。
【請求項３】
請求項１または請求項２に記載の情報処理装置において、
前記情報収集部は、前記情報処理装置の現在位置を収集し、
前記情報送信部は、前記予め指定された複数の送信先のうち、前記情報収集部にて収集された前記情報処理装置の現在位置に応じた送信先に前記情報選択部にて選択された情報を送信する情報処理装置。
【請求項４】
情報処理装置における情報処理方法であって、
情報の送信が要求された場合に、前記情報処理装置が保持している情報を含む前記情報処理装置に関する情報を収集する情報収集処理と、
前記情報収集処理にて収集された情報の中から、予め指定された複数の送信先に送信すべき情報を前記複数の送信先毎に選択する情報選択処理と、
前記情報選択処理にて選択された情報を前記複数の送信先のそれぞれに送信する情報送信処理とを有し、
前記複数の送信先のうち少なくとも１つの送信先に送信すべき情報の少なくとも一部が、他の送信先に送信すべき情報とは異なる情報処理方法。
【請求項５】
請求項４に記載の情報処理方法において、
前記情報選択処理にて選択された情報を当該情報の送信先毎に決められた形式に編集する情報編集処理を有し、
前記情報送信処理は、前記情報編集処理にて編集された情報を送信する情報処理方法。
【請求項６】
請求項４または請求項５に記載の情報処理方法において、
前記情報収集処理は、前記情報処理装置の現在位置を収集し、
前記情報送信処理は、前記予め指定された複数の送信先のうち、前記情報収集処理にて収集された前記情報処理装置の現在位置に応じた送信先に前記情報選択処理にて選択された情報を送信する情報処理方法。
【請求項７】
情報処理装置に、
情報の送信が要求された場合に、前記情報処理装置が保持している情報を含む前記情報処理装置に関する情報を収集する情報収集手順と、
前記情報収集手順にて収集された情報の中から、予め指定された複数の送信先に送信すべき情報を前記複数の送信先毎に選択する情報選択手順と、
前記情報選択手順にて選択された情報を前記複数の送信先のそれぞれに送信する情報送信手順とを実行させ、
前記複数の送信先のうち少なくとも１つの送信先に送信すべき情報の少なくとも一部が、他の送信先に送信すべき情報とは異なるプログラム。
【請求項８】
請求項７に記載のプログラムにおいて、
前記情報選択手順にて選択された情報を当該情報の送信先毎に決められた形式に編集する情報編集手順を有し、
前記情報送信手順が、前記情報編集手順にて編集された情報を送信するプログラム。
【請求項９】
請求項７または請求項８に記載のプログラムにおいて、
前記情報収集手順が、前記情報処理装置の現在位置を収集し、
前記情報送信手順が、前記予め指定された複数の送信先のうち、前記情報収集手順にて収集された前記情報処理装置の現在位置に応じた送信先に前記情報選択手順にて選択された情報を送信するプログラム。
【発明の詳細な説明】
【技術分野】
【０００１】
本発明は、情報処理装置に関し、特に、情報処理装置に保持された情報を含む情報処理装置に関する情報を送信する際の技術に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであったが、近年では、一般のパーソナルコンピュータと同様に、電子メールを送信したり、インターネットに接続したりすることができるようになっている。
【０００３】
このような携帯電話機には、電話帳等の個人情報が記憶されているが、近年の半導体技術の進展によって記憶されるデータ量が急速に増大し、それに伴い、携帯電話機を紛失した際の個人情報の漏洩が問題視されている。
【０００４】
そこで、携帯電話機を紛失した場合に外部接続機器から所定の操作を行うことで、携帯電話機に記憶された電話帳等の情報を外部接続機器に送信するとともに、携帯電話機内の記憶部に記憶された情報を消去して個人情報を保護する技術が、例えば特許文献１に開示されている。
【先行技術文献】
【特許文献】
【０００５】
【特許文献１】特開２００６−１４１５８号公報
【発明の概要】
【発明が解決しようとする課題】
【０００６】
携帯電話機等の情報処理装置を紛失した場合、上述したように個人情報を保護する必要があるとともに、情報処理装置を紛失した旨を関係各所に連絡する必要がある。例えば、セキュリティに対してリテラシーの高い企業では、情報処理装置の紛失時の情報や、情報処理装置に記憶されている情報等、何が情報として流出してしまったかを知る必要があり、企業のセキュリティ部門や上司、警察、携帯電話会社等、多くの箇所へ迅速な連絡が必要となる。そして、その場合、関係各所には、情報処理装置が保持している情報を含む情報処理装置に関する情報を通知することになるが、通知すべき情報は関係各所毎に異なることになる。
【０００７】
そのため、情報処理装置を紛失した場合に関係各所に必要な情報を通知することは非常に手間がかかるものであり、関係各所全てに必要な情報を通知し終わるまでに長時間かかってしまうという問題点がある。特許文献１に開示された技術においては、携帯電話機に記憶された情報を所定の外部接続機器に送信するだけであるため、上述したように、複数の送信先毎にその送信先に応じた情報を通知する際の手間を解消することはできない。
【０００８】
本発明は、上述したような技術が有する問題点に鑑みてなされたものであって、情報処理装置が保持している情報を含む情報処理装置に関する情報について、予め決められた複数の送信先毎に送信すべき情報を複数の送信先のそれぞれに手間をかけずに送信することができる情報処理装置、情報処理方法及びプログラムを提供することを目的とする。
【課題を解決するための手段】
【０００９】
上記目的を達成するために本発明は、
情報処理装置であって、
情報の送信が要求された場合に、前記情報処理装置が保持している情報を含む前記情報処理装置に関する情報を収集する情報収集部と、
前記情報収集部にて収集された情報の中から、予め指定された複数の送信先に送信すべき情報を前記複数の送信先毎に選択する情報選択部と、
前記情報選択部にて選択された情報を前記複数の送信先のそれぞれに送信する情報送信部とを有し、
前記複数の送信先のうち少なくとも１つの送信先に送信すべき情報の少なくとも一部が、他の送信先に送信すべき情報とは異なる。
【００１０】
また、情報処理装置における情報処理方法であって、
情報の送信が要求された場合に、前記情報処理装置が保持している情報を含む前記情報処理装置に関する情報を収集する情報収集処理と、
前記情報収集処理にて収集された情報の中から、予め指定された複数の送信先に送信すべき情報を前記複数の送信先毎に選択する情報選択処理と、
前記情報選択処理にて選択された情報を前記複数の送信先のそれぞれに送信する情報送信処理とを有し、
前記複数の送信先のうち少なくとも１つの送信先に送信すべき情報の少なくとも一部が、他の送信先に送信すべき情報とは異なる。
【００１１】
情報処理装置に実行させるプログラムであって、
情報の送信が要求された場合に、前記情報処理装置が保持している情報を含む前記情報処理装置に関する情報を収集する情報収集手順と、
前記情報収集手順にて収集された情報の中から、予め指定された複数の送信先に送信すべき情報を前記複数の送信先毎に選択する情報選択手順と、
前記情報選択手順にて選択された情報を前記複数の送信先のそれぞれに送信する情報送信手順とを実行させ、
前記複数の送信先のうち少なくとも１つの送信先に送信すべき情報の少なくとも一部が、他の送信先に送信すべき情報とは異なる。
【発明の効果】
【００１２】
本発明は以上説明したように構成されているので、情報処理装置が保持している情報を含む情報処理装置に関する情報について、予め決められた複数の送信先毎に送信すべき情報を複数の送信先のそれぞれに手間をかけずに送信することができる。
【図面の簡単な説明】
【００１３】
【図１】本発明の情報処理装置の概要を示すブロック図である。
【図２】図１に示した情報処理装置の実施の一形態となる携帯電話を用いたネットワーク構成の一例を示す図である。
【図３】図２に示したネットワーク構成における携帯電話の特定通知処理を説明するためのフローチャートである。
【図４】図２に示した情報選択部にて記憶部から取得した一覧を示す図である。
【発明を実施するための形態】
【００１４】
以下に、本発明の実施の形態について図面を参照して説明する。
【００１５】
図１は、本発明の情報処理装置の概要を示すブロック図である。
【００１６】
本発明の情報処理装置は図１に示すように、情報収集部１０と、情報選択部２０と、情報送信部３０とから構成されている。
【００１７】
上記のように構成された情報処理装置においては、情報処理装置が保持している情報を含む情報処理装置に関する情報を予め指定された複数の送信先に送信するものであって、複数の送信先のうち少なくとも１つの送信先に送信すべき情報の少なくとも一部が、他の送信先に送信すべき情報とは異なっている。このような情報を送信する場合、情報の送信が要求されると、情報収集部１０において、情報処理装置が保持している情報を含む情報処理装置に関する情報を収集し、情報選択部２０において、情報収集部１０にて収集された情報の中から、複数の送信先に送信すべき情報を複数の送信先毎に選択する。そして、情報送信部３０において、情報選択部２０にて選択された情報を複数の送信先のそれぞれに送信する。
【００１８】
以下に、上述した情報処理装置について具体的な例を挙げて説明する。
【００１９】
図２は、図１に示した情報処理装置の実施の一形態となる携帯電話を用いたネットワーク構成の一例を示す図である。
【００２０】
本例は図２に示すように、図１に示した情報処理装置の実施の一形態となる携帯電話１が、携帯電話２やパソコン３，４とネットワーク５を介して接続可能に構成されたものである。
【００２１】
本形態における携帯電話２は、図１に示した情報送信部３０となる通信部３１と、情報収集部１０と、情報選択部２０と、情報編集部５０と、ＧＰＳ部４０と、表示部６０と、出力部７０と、操作部８０と、記憶部９０と、制御部１００とから構成されている。
【００２２】
ＧＰＳ部４０は、携帯電話１の現在位置を取得するものである。
【００２３】
表示部６０は、液晶ディスプレイ等からなり、記憶部９０に記憶された情報や通信部３１を介して受信された情報等を表示出力する。
【００２４】
出力部７０は、記憶部９０に記憶された情報や通信部３１を介して受信された情報等を音声出力したり、記憶部９０に記憶されたアラーム音を鳴動したりする。
【００２５】
操作部８０は、テンキーやタッチセンサ等からなり、情報を入力するためのものである。
【００２６】
記憶部９０は、携帯電話１を動作させるための動作プログラムの他、操作部８０を介して入力された情報や通信部３１を介して受信した情報等を記憶している。
【００２７】
情報収集部１０は、情報の送信を要求する特定通知要求を通信部３１を介して受信した場合、記憶部９０に記憶された情報や、ＧＰＳ部４０にて取得された携帯電話１の現在位置の情報等、携帯電話１に関する情報を収集する。
【００２８】
情報選択部２０は、情報収集部１０にて収集された情報の中から、予め指定された複数の送信先のそれぞれに送信すべき情報を複数の送信先毎に選択する。
【００２９】
情報編集部５０は、情報選択部２０にて選択された情報を、情報の送信先毎に決められた形式に編集する。
【００３０】
通信部３１は、情報の送信を要求する特定通知要求を受信し、また、情報選択部２０にて選択されて情報編集部５０にて編集された情報をその情報の送信先となる携帯電話２やパソコン３，４にネットワーク５を介してそれぞれ送信する。
【００３１】
制御部１００は、これら通信部３１と情報収集部１０と情報選択部２０と情報編集部５０とＧＰＳ部４０と表示部６０と出力部７０と操作部８０と記憶部９０との間の情報のやりとりを制御するものであって、記憶部９０に記憶された動作プログラムを読み出し、この動作プログラムに従って携帯電話１の動作を制御する。
【００３２】
以下に、上記のように構成された携帯電話１の紛失時における特定通知処理について説明する。
【００３３】
図３は、図２に示したネットワーク構成における携帯電話１の特定通知処理を説明するためのフローチャートである。
【００３４】
携帯電話１の通信部３１が電子メールを受信し、制御部１００がこの電子メールを記憶部９０に記憶する際（ステップ１）、電子メールに特定通知を示す文字列が含まれているかどうかを検出する（ステップ２）。この特定通知を示す文字列とは、携帯電話１を紛失した場合に、携帯電話１の所有者が外部から情報の送信を要求するためのものである。本例においては、携帯電話１の所有者が携帯電話１を紛失し、特定通知を示す文字列を含む電子メールを携帯電話２から携帯電話１に送信したものとする。
【００３５】
電子メールに特定通知を示す文字列が含まれている場合は（ステップ３）、まず、情報収集部１０が、記憶部９０に記憶された電子メールに基づいて、携帯電話１に対して特定通知の要求がなされた時刻を取得する（ステップ４）。
【００３６】
また、ＧＰＳ部４０にて携帯電話１の現在位置を取得し、この携帯電話１の現在位置を情報収集部１０が収集する（ステップ５）。
【００３７】
また、通信部３１において、通信を行っている基地局に対して携帯電話１の移動履歴を問い合わせて取得し、この移動履歴を情報収集部１０が収集する（ステップ６）。なお、携帯電話１が現在通信を行っている基地局においては、携帯電話１が自局のサービスエリアに入った時刻しかわからないため、例えば、その基地局が上位装置に問い合わせ、他の基地局と連携することによって携帯電話１の移動履歴を取得して携帯電話１に通知することが考えられる。
【００３８】
次に、情報収集部１０が、携帯電話１の電話番号やメールアドレス、携帯固有番号等の携帯電話１の基本情報を記憶部９０から収集し（ステップ７）、また、電話帳一覧や電子メールの送受信ログの一覧等の個人情報や、携帯電話１のロック状態や制限機能の有効無効、操作ログ等の携帯電話１のセキュリティ情報等を記憶部９０から収集する（ステップ８）。
【００３９】
次に、情報選択部２０が、情報収集部１０にて収集した情報の送信先と、情報収集部１０にて収集した情報のうち、送信先に送信すべき情報を対応づけた一覧を記憶部９０から取得する（ステップ９）。
【００４０】
図４は、図２に示した情報選択部２０にて記憶部９０から取得した一覧を示す図である。
【００４１】
図４に示すように、情報選択部２０にて記憶部９０から取得した一覧においては、情報の送信先と、そのアドレスと、その送信先に送信すべき通知情報の種類とが対応づけられている。例えば、総務部には、携帯電話１の電話番号と所持者の氏名、社内のセキュリティ委員会には、携帯電話１のロック状態と電話帳データ、通信事業者には、携帯電話１の電話番号、警察署には、携帯電話１の現在位置と電話番号とが、それぞれ、送信すべき情報として対応づけられている。すなわち、本形態においては、携帯電話１を紛失した際に、携帯電話１から送信すべき情報の複数の送信先のうち少なくとも１つの送信先に送信すべき情報の少なくとも一部が、他の送信先に送信すべき情報とは異なっている。
【００４２】
情報選択部２０は、記憶部９０から取得した一覧に基づいて、情報収集部１０にて収集された情報の中から、複数の送信先に送信すべき情報を複数の送信先毎に選択する（ステップ１０）。例えば、図４に示した例では、情報収集部１０にて収集された情報の中から、総務部に送信する情報として、携帯電話１の電話番号と所持者の氏名を選択し、社内のセキュリティ委員会に送信する情報として、携帯電話１のロック状態と電話帳データを選択し、通信事業者に送信する情報として、携帯電話１の電話番号を選択し、警察署に送信する情報として、携帯電話１の現在位置と電話番号とを選択する。
【００４３】
次に、情報編集部５０において、情報選択部２０にて選択された情報を情報の送信先毎に決められた形式に編集する（ステップ１１）。例えば、本形態のように、携帯電話１を紛失した場合に予め決められた送信先に情報を送信することは、関係各所への報告のために行われるため、その報告の雛形を情報編集部５０に送信先となる関係各所毎に保持しておき、情報選択部２０にて選択された情報をその雛形に埋め込んで報告書として編集する。
【００４４】
その後、通信部３１において、情報編集部５０にて情報が編集されてなる報告書を電子メールに添付する形態として、情報の送信先のそれぞれに送信する（ステップ１２）。この通信部３１における電子メールの送信は、送信が成功するまで繰り返し行われる（ステップ１３）。
【００４５】
そして、全ての送信先に対する電子メールの送信が終了するまで（ステップ１４）、ステップ９〜１３の処理が繰り返し行われ、全ての送信先に対する電子メールの送信が終了すると、特定通知処理が終了する。
【００４６】
また、ステップ３にて電子メールに特定通知を示す文字列が含まれていない場合も、特定通知処理が終了する。
【００４７】
電子メールが送信されてきた送信先（例えば、パソコン３，４を所有する機関、部署等）においては、送信されてきた電子メールに添付されている報告書に基づいて紛失処理等を行う。
【００４８】
上述したように本形態においては、特定通知が要求された場合に、記憶部９０に記憶された情報や携帯電話１の現在位置等の携帯電話１に関する情報を収集し、この収集した情報の中から、予め指定された複数の送信先に送信すべき情報を複数の送信先毎に選択し、この選択した情報を複数の送信先のそれぞれに送信するため、複数の送信先のうち少なくとも１つの送信先に送信すべき情報の少なくとも一部が、他の送信先に送信すべき情報とは異なるものであっても、予め決められた複数の送信先毎に送信すべき情報を複数の送信先のそれぞれに手間をかけずに送信することができる。その結果、携帯電話１を紛失した際、関係各所が必要な情報を得ることができ、迅速な対応が可能となる。
【００４９】
なお、本形態においては、通信部３１において、情報選択部２０にて記憶部９０から取得した情報の送信先の全てに対して、情報編集部５０にて情報が編集されてなる報告書を電子メールに添付する形態として送信しているが、通信部３１において、情報選択部２０にて記憶部９０から取得した情報の送信先のうち、情報収集部１０にて収集された携帯電話１の現在位置に応じた送信先にのみ、情報編集部５０にて情報が編集されてなる報告書を電子メールに添付する形態として送信することも考えられる。例えば、携帯電話１の現在位置が社外であった場合は、警察署や利用した交通機関を送信先に加え、また、携帯電話１の現在位置が社内であった場合は警備室を送信先に加えること等が考えられる。
【００５０】
また、本発明の情報処理装置は、上述したような携帯電話やスマートフォンに限らず、携帯音楽プレーヤーや携帯ゲーム機、タブレットＰＣやノートＰＣ等であってもよい。
【００５１】
また、本発明においては、情報処理装置内の処理は上述の専用のハードウェアに基づいて実現されるもの以外に、その機能を実現するためのプログラムを情報処理装置にて読取可能な記録媒体に記録し、この記録媒体に記録されたプログラムを情報処理装置に読み込ませ、実行するものであっても良い。情報処理装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、情報処理装置に内蔵されたＨＤＤ等を指す。この記録媒体に記録されたプログラムは、例えば、制御ブロックにて読み込まれ、制御ブロックの制御に基づいて、上述したものと同様の処理が行われる。
【符号の説明】
【００５２】
１，２    携帯電話
３，４    パソコン
５    ネットワーク
１０    情報収集部
２０    情報選択部
３０    情報送信部
３１    通信部
４０    ＧＰＳ部
５０    情報編集部
６０    表示部
７０    出力部
８０    操作部
９０    記憶部
１００    制御部
【図１】
2013034062.tif 000003
【図２】
2013034062.tif 000004
【図３】
2013034062.tif 000005
【図４】
2013034062.tif 000006